(57)【要約】【課題】水等と反応することにより硬化する常温施工が可能なアスファルト混合物をアスファルト舗装を行う場所に敷き固めることのできるアスファルトフィニッシャを提供することにある。【解決手段】アスファルト混合物を積み込むホッパと、積み込まれたアスファルト混合物を搬送し、舗装面に投下するフィーダコンベアと、舗装面に投下されたアスファルト混合物を左右に拡散するスクリュースプレッダと、アスファルト混合物上に散水する液体供給装置と、アスファルト混合物を均一に敷き均すスクリード装置とを備えた常温施工型のアスファルト混合物を敷き固めるアスファルトフィニッシャであって、前記液体供給装置を前記スクリード装置の上流でかつスクリュースプレッダ下流に配置したので、常温施工が可能なアスファルト混合物をアスファルト舗装を行う場所に均一に敷き固めることができる。【選択図】図１
2011140784.tif 000002
【特許請求の範囲】
【請求項１】
アスファルト混合物を積み込むホッパと、積み込まれたアスファルト混合物を搬送し、舗装面に投下するフィーダコンベアと、舗装面に投下されたアスファルト混合物を左右に拡散するスクリュースプレッダと、アスファルト混合物上に散水する液体供給装置と、アスファルト混合物を均一に敷き均すスクリード装置とを備えた常温施工型のアスファルト混合物を敷き固めるアスファルトフィニッシャであって、
前記液体供給装置を前記スクリード装置の上流でかつスクリュースプレッダ下流に配置したことを特徴とするアスファルトフィニッシャ。
【請求項２】
前記アスファルト混合物は、アスファルトと、油脂または脂肪酸と、アルカリ性添加材と、水分とを混合してなる常温施工型加熱アスファルト混合物であることを特徴とする請求項１に記載のアスファルトフィニッシャ。
【請求項３】
前記スクリード装置は、上流側に上下動可能なスクリードゲートを備えたことを特徴とする請求項１または２に記載のアスファルトフィニッシャ。
【請求項４】
前記液体供給装置は、前記スクリード装置とスクリードゲートの間に設置されたことを特徴とする請求項１〜３の何れか１項に記載のアスファルトフィニッシャ。
【発明の詳細な説明】
【技術分野】
【０００１】
本発明は、水等と反応することにより硬化する常温施工が可能なアスファルト混合物を道路等のアスファルト舗装を行う場所に敷き固めるためのアスファルトフィニッシャに関するものである。
【背景技術】
【０００２】
一般のアスファルトフィニッシャは、加熱したアスファルト混合物をホッパ部で受け、フィーダーで後方に移送すると共に、スクリュースプレッダによって幅方向に広げて敷き均してゆくものである。
しかし、本願発明に係るアスファルトフィニッシャは、常温施工が可能なアスファルト混合物を道路等に敷き固めるためのものである。このため、従来のアスファルトフィニッシャを使用することができなかった。
【先行技術文献】
【特許文献】
【０００３】
【特許文献１】特開２００６−１３８０９０号公報
【発明の概要】
【発明が解決しようとする課題】
【０００４】
しかし、このような従来のアスファルトフィニッシャにあっては、加熱アスファルト混合物を敷き固めることを前提としており、アスファルト混合物に散水或いは硬化促進剤を散布する装置がなかった。
例えば、特許文献１に開示された、従来のアスファルトフィニッシャでは、舗装面にグラウト材を充填するグラウト材充填装置とアスファルトを敷き固めるアスファルトフィニッシャを兼ねた装置であり、常温施工型のアスファルト混合物に使用することができなかった。
本発明は、上記実情に鑑み提案されたもので、常温施工型のアスファルト混合物に使用することのできるアスファルトフィニッシャを提供することを目的とする。
【課題を解決するための手段】
【０００５】
前記目的を達成するために、本発明はアスファルト混合物を積み込むホッパと、積み込まれたアスファルト混合物を搬送し、舗装面に投下するフィーダコンベアと、舗装面に投下されたアスファルト混合物を左右に拡散するスクリュースプレッダと、アスファルト混合物上に散水する液体供給装置と、アスファルト混合物を均一に敷き均すスクリード装置とを備えた常温施工型のアスファルト混合物を敷き固めるアスファルトフィニッシャであって、前記液体供給装置を前記スクリード装置の上流側に配置したことを特徴としている。
【０００６】
また、本発明において、前記アスファルト混合物は、アスファルトと、油脂または脂肪酸と、アルカリ性添加材と、水分とを混合してなる常温施工型加熱アスファルト混合物であることを特徴とするものである。
【０００７】
また、本発明において、前記スクリード装置は、上流側に上下動可能なスクリードゲートを備えたことを特徴とするものである。
【０００８】
また、本発明において、前記液体供給装置は、前記スクリード装置とスクリードゲートの間に設置されたことを特徴とするものである。
【発明の効果】
【０００９】
この発明は前記した構成からなるので、以下に説明するような効果を奏することができる。
【００１０】
本発明では、アスファルト混合物を積み込むホッパと、積み込まれたアスファルト混合物を搬送し、舗装面に投下するフィーダコンベアと、舗装面に投下されたアスファルト混合物を左右に拡散するスクリュースプレッダと、アスファルト混合物上に散水する液体供給装置と、アスファルト混合物を均一に敷き均すスクリード装置とを備えた常温施工型のアスファルト混合物を敷き固めるアスファルトフィニッシャであって、前記液体供給装置を前記スクリード装置の上流側に配置したので、常温施工型のアスファルト混合物を道路等に敷き固めることができる。
【００１１】
また、本発明では、前記前記アスファルト混合物は、アスファルトと、油脂または脂肪酸と、アルカリ性添加材と、水分とを混合してなる常温施工型加熱アスファルト混合物であるので、従来のアスファルトフィニッシャでは実施できなかったアスファルト混合物の敷き均しが可能となった。
【００１２】
また、本発明では、前記スクリード装置は、上流側に上下動可能なスクリードゲートを備えたので、敷設するアスファルト混合物の滞留量を調節することができる。
【００１３】
また、本発明では、前記液体供給装置は、前記スクリード装置とスクリードゲートの間に設置されたので、アスファルト混合物に効果的に水分を浸透させることができる。
【図面の簡単な説明】
【００１４】
【図１】図１は、本発明に係るアスファルトフィニッシャの一実施の形態を示す説明図である。
【図２】図２は、同アスファルトフィニッシャを示す平面図である。
【図３】図３は、同アスファルトフィニッシャを示す側面図である。
【図４】図４は、同アスファルトフィニッシャにおける液体供給装置、スクリードゲート、スクリード装置との関係を示す説明図である。
【発明を実施するための形態】
【００１５】
本発明のアスファルトフィニッシャは、アスファルト混合物を積み込むホッパと、積み込まれたアスファルト混合物を搬送し、舗装面に投下するフィーダコンベアと、舗装面に投下されたアスファルト混合物を左右に拡散するスクリュースプレッダと、アスファルト混合物上に散水する液体供給装置と、アスファルト混合物を均一に敷き均すスクリード装置とを備えた常温施工型のアスファルト混合物を敷き固めるものであって、液体供給装置をスクリード装置の上流側に配置したので、常温施工型のアスファルト混合物を効果的に敷設することができる。
【実施例１】
【００１６】
以下、一実施の形態を示す図面に基づいて本発明を詳細に説明する。図１は本発明に係るアスファルトフィニッシャの一実施の形態を示す説明図、図２は本発明のアスファルトフィニッシャを示す平面図、図３は本発明のアスファルトフィニッシャを示す側面図である。ここで、本発明のアスファルトフィニッシャ１０はアスファルト混合物Ａを積み込むホッパ１１と、積み込まれたアスファルト混合物Ａを搬送し、舗装面に投下するフィーダコンベア１２と、舗装面に投下されたアスファルト混合物Ａを左右に拡散するスクリュースプレッダ１３と、アスファルト混合物上に散水する液体供給装置１４と、アスファルト混合物Ａを均一に敷き均すスクリード装置１５とを備えた常温施工型のアスファルト混合物Ａを敷き固めるものであって、前記液体供給装置１４を前記スクリード装置１５の上流側に配置している。
【００１７】
ホッパ１１は、アスファルトフィニッシャ１０の進行方向前に設置され、油圧シリンダ１１ｂで左右に開閉可能なホッパウィング１１ａを有している。ホッパウィング１１ａを開成したホッパ１１へアスファルト混合物Ａがダンプトラック等の搬送車両から投入される。ホッパ１１に投入されたアスファルト混合物Ａは、フィーダコンベア１２によって車両の後方に搬送される。フィーダコンベア１２で後方に搬送されたアスファルト混合物Ａは、舗装面上に投下された後、スクリュースプレッダ１３によって舗装幅方向へ敷拡される。
【００１８】
スクリュースプレッダ１３は、フィニッシャ本体の中央を中心として左右対称に螺旋状のスクリュー羽根１３ａが回転軸１３ｂに付設されて形成されている。したがって、回転軸１３ｂを回転することにより中央から側方向にアスファルト混合物Ａを拡散することができる。
スクリュースプレッダ１３の下流には、板状の上下動可能なスクリードゲート１６が配置されおり、舗装幅方向に拡散されたアスファルト混合物Ａを所定の厚さに均す働きをする。
【００１９】
スクリードゲート１６の下流には、幅方向に液体供給装置１４が設置されている。液体供給装置１４は、導水管１４ａと所定間隔でスプレーノズル１４ｂが設けられており、スクリードゲート１６で敷き均されたアスファルト混合物上に図外の貯水タンクから散水する。スプレーノズル１４ｂからの散水量は、施工速度に連動して設定することができる。液体供給装置１４の下流には、スクリード装置１５が設置されている。スクリードゲート１６とスクリード装置１５の間隔は、例えば、約３００ｍｍ程度とする。また、スクリード装置１５は、図外の振動装置を備えている。振動装置は、例えば、偏心軸とモータ等から構成され、スクリード装置１５の全体を振動させる。
【００２０】
また、スクリード装置１５は、センタースクリード１５ａと左右（幅方向）にスライド可能な右スクリード１５ｂと左スクリード１５ｃとから構成されており、舗装幅に応じて右スクリード１５ｂおよび左スクリード１５ｃを調節することによって舗装する幅を設定することができる。
【００２１】
なお、本発明のアスファルトフィニッシャ１０で使用されるアスファルト混合物Ａは、例えば、アスファルトと、骨材と、エステルを有する脂肪酸と、セメントまたは石灰とを混合してなる常温施工型のアスファルト混合物であり、施工時に水分を供給することにより、混合物中のアルカリ分がイオン分解し、特殊潤滑油と反応することで常温で増粘効果を得ることができる。
【００２２】
次に、以上のように構成されたアスファルトフィニッシャの動作について説明する。先ず、図２、３に示すようにホッパ１１のホッパウィング１１ａを開いてダンプトラック等からアスファルト混合物Ａを受け取る。ホッパ１１に投入されたアスファルト混合物Ａは、フィーダコンベア１２によってアスファルトフィニッシャ１０の後方へ搬送される。フィーダコンベア１２によって搬送されたアスファルト混合物は、スクリュースプレッダ１３によって舗装面の幅方向へ拡散される。
【００２３】
スクリュースプレッダ１３によって舗装面の幅方向へ拡散されたアスファルト混合物Ａは、スクリードゲート１６によって図３、４に示すように所定厚さに粗均しされる。粗均しされたアスファルト混合物は、液体供給装置１４によって散水される。液体供給装置１４は、施工速度に連動して適宜、散水量を設定することができる。散水により水分を供給されたアスファルト混合物Ａは、混合物中のアルカリ分がイオン分解し、特殊潤滑油と反応することにより常温で増粘効果を得ることのできる。
【００２４】
粘性の増したアスファルト混合物Ａは、スクリード装置１５によって敷き均される。また、スクリード装置１５は、振動装置を備えており、アスファルト混合物を締め固めることができる。振動装置は、添加剤の浸透性を促進することができる。
【００２５】
なお、以上の説明では液体供給装置は、導水管とスプレーノズルから構成された散水装置について説明したが、水以外の液体の硬化促進剤を散布する装置であってもよい。
【符号の説明】
【００２６】
１０    アスファルトフィニッシャ
１１    ホッパ
１１ａ  ホッパウィング
１１ｂ  油圧シリンダ
１２    フィーダコンベア
１３    スクリュースプレッダ
１３ａ  スクリュー羽根
１３ｂ  回転軸
１４    液体供給装置
１５    スクリード装置
１５ａ  センタースクリード
１５ｂ  右スクリード
１５ｃ  左スクリード
１６    スクリードゲート
【図１】
2011140784.tif 000003
【図２】
2011140784.tif 000004
【図３】
2011140784.tif 000005
【図４】
2011140784.tif 000006